Podtech/llm-jp-corpus-v4-ja_patent huggingface dataset:
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
ｐＨが約６．４から約７．８までであり且つ少なくとも約２ヶ月間安定である酸化還元電位（ＯＲＰ）水溶液を、皮膚潰瘍を治療するのに有効な量で患者に投与することを含む、患者の皮膚潰瘍を治療する方法。
【請求項２】
溶液が少なくとも約１年間安定である、請求項１記載の方法。
【請求項３】
ｐＨが約７．４から約７．６である、請求項１〜２のいずれか１項記載の方法。
【請求項４】
溶液がアノード水及びカソード水を含む、請求項１〜３のいずれか１項記載の方法。
【請求項５】
カソード水が溶液の約１０体積％から約５０体積％の量で存在する、請求項４記載の方法。
【請求項６】
カソード水が溶液の約２０体積％から約４０体積％の量で存在する、請求項４記載の方法。
【請求項７】
溶液が少なくとも１種の遊離塩素種を含む、請求項１〜６のいずれか１項記載の方法。
【請求項８】
遊離塩素種が次亜塩素酸、次亜塩素酸イオン、又はそれらの組み合わせを含む、請求項７記載の方法。
【請求項９】
遊離塩素種の量が約１０ｐｐｍから約４００ｐｐｍである、請求項７又は８記載の方法。
【請求項１０】
遊離塩素種が約１５ｐｐｍから約３５ｐｐｍの量で存在する次亜塩素酸である、請求項７〜９のいずれか１項記載の方法。
【請求項１１】
遊離塩素種が約２５ｐｐｍから約５０ｐｐｍの量で存在する次亜塩素酸ナトリウムである、請求項７〜９のいずれか１項記載の方法。
【請求項１２】
溶液が約１５ｐｐｍから約３５ｐｐｍの量の次亜塩素酸及び約２５ｐｐｍから約５０ｐｐｍの量の次亜塩素酸ナトリウムを含む、請求項１〜７のいずれか１項記載の方法。
【請求項１３】
溶液で皮膚潰瘍を洗うこと又は洗浄することによって溶液が患者に投与される、請求項１〜１２のいずれか１項記載の方法。
【請求項１４】
溶液に皮膚潰瘍を浸すことによって溶液が患者に投与される、請求項１〜１２のいずれか１項記載の方法。
【請求項１５】
溶液で飽和した創傷ドレッシングで皮膚潰瘍をドレッシングすることにより溶液が患者に投与される、請求項１〜１２のいずれか１項記載の方法。
【請求項１６】
（１）酸化還元電位（ＯＲＰ）水溶液で潰瘍を洗うこと又は洗浄すること；（２）ＯＲＰ水溶液に潰瘍を浸すこと；（３）ＯＲＰ水溶液で飽和した創傷ドレッシングで潰瘍をドレッシングすること、及び（４）任意で工程（１）〜（３）を繰り返すことを含み、ここで該溶液は、約６．４から約７．６のｐＨを有し且つ少なくとも約２ヶ月間安定である、患者の皮膚潰瘍を治療する方法。
【請求項１７】
（１）潰瘍を清拭すること；（２）ＯＲＰ水溶液で潰瘍を洗うこと又は洗浄すること；（３）少なくとも２分間潰瘍を溶液に浸すこと；（４）少なくとも約２分間潰瘍を乾かすこと；（５）該溶液で飽和した創傷ドレッシングで潰瘍をドレッシングすること；及び（６）任意で工程（１）〜（５）を繰り返すことを含み、ここで該潰瘍は糖尿病患者の感染したグレード２又はグレード３の足潰瘍であって、該潰瘍が少なくとも約２．０ｃｍ２の表面積を持ち、ここで該溶液は、約６．４から約７．６のｐＨを有し且つ少なくとも約２ヶ月間安定である、糖尿病患者の足潰瘍を治療する方法。
【請求項１８】
酸化還元電位（ＯＲＰ）水溶液を、皮膚潰瘍を治療するのに有効な量で患者に投与することを含み、ここで該溶液は、次亜塩素酸、次亜塩素酸イオン、次亜塩素酸ナトリウム、又はそれらの組み合わせからなる群から選択される遊離塩素種を含み、且つ該溶液は少なくとも約２ヶ月間安定である、患者の皮膚潰瘍を治療する方法。
【請求項１９】
遊離塩素種が約１５ｐｐｍから約３５ｐｐｍの量で存在する次亜塩素酸である、請求項１８記載の方法。
【請求項２０】
遊離塩素種が約２５ｐｐｍから約５０ｐｐｍの量で存在する次亜塩素酸ナトリウムである、請求項１８〜１９のいずれか１項記載の方法。
【手続補正書】
【提出日】平成20年12月10日(2008.12.10)
【手続補正１】
【補正対象書類名】明細書
【補正対象項目名】０２１８
【補正方法】変更
【補正の内容】
【０２１８】
出発物質１−スキーム７は、市販されている４，６−ジヒドロキシ−２−メチルメルカプトピリミジンから、文献で公知の方法、例えば、ＯＣｌ３およびＤＭＦを用いる、Santillietal., J. Heterocycl. Chem. (1971), 445-53に記載の方法を用いて得ることができる。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
ホスホジエステラーゼのタイプ１から５のアイソフォーム（ＰＤＥ１、ＰＤＥ２、ＰＤＥ３、ＰＤＥ４及びＰＤＥ５）の強力で選択的な阻害剤として、下記一般式の化合物を含む、医薬組成物。
【化１】
2008534520.tif 000001
（式中、Ｒ１、Ｒ２、Ｒ３、Ｒ４、Ｒ５、Ｒ６及びＲ７は、同一又は異なってよい官能基であり、水素、ヒドロキシル、メトキシル及びプレニルを含む）
【請求項２】
ａ）ＰＤＥ５に対して阻害活性を有するジオクレイン、フロラノール又は類似体をベースにした、請求項１に記載の一般式の化合物、
ｂ）ジオクレイン、フロラノール又は類似体とシクロデキストリンとの間の包接化合物、
ｃ）薬学的に及び薬理学的に許容される賦形剤、
ｄ）ジオクレイン、フロラノール又は類似体と、それらのシクロデキストリン及びその誘導体との包接化合物、並びにＰＬＧＡ、ＰＧＡ、ＰＬＡ及びそれらの混合物を含む群から選択される生分解性ポリマーからのそれらの誘導体からなる制御放出システムとを含む、医薬組成物。
【請求項３】
前記化合物が、経口経路で活性である、請求項１に記載の医薬組成物。
【請求項４】
筋内、経口、静脈内、皮下、局所、吸入（肺、鼻腔内、口内）経路を経由して、或いは埋め込み又は注入されるデバイスとして送達される、請求項１又は２に記載の医薬組成物。
【請求項５】
ホスホジエステラーゼのタイプ１から５のアイソフォーム（ＰＤＥ１、ＰＤＥ２、ＰＤＥ３、ＰＤＥ４及びＰＤＥ５）の強力で選択的な阻害剤として、請求項１に記載する一般式の化合物を含む、制御放出装置を作製する方法であって、
ａ）ジクロロメタンに溶解したポリ（乳酸−グリコール酸）（ＰＬＧＡ）で構成される有機相と、フラボノイド、ジオクレイン及びフロラノールで構成される水相とで構成されるエマルジョンを調製し、
ｂ）該エマルジョンを、３０秒間超音波処理にかけ、次いで、１％ポリビニルアルコール（ＰＶＡ）溶液を添加して、第２のエマルジョンを形成し、
ｃ）該第２のエマルジョンを、完全に均質化するまで撹拌し、
ｄ）加熱せずに２時間撹拌して溶媒を蒸発し、
ｅ）混合物を２〜３回遠心し、
ｆ）上清液を除去し、水で洗浄し、
ｇ）１〜２ｍＬの水が残ったままとし、得られた系を２４〜４８時間の凍結乾燥にかける、作製方法。
【請求項６】
ジオクレイン及びフロラノール又はそれらの類似体のＰＤＥ１に対する活性及び効能を選択的に抑制するための医薬を製造するための、請求項１に記載の医薬組成物の使用。
【請求項７】
プロテインキナーゼＡ及びプロテインキナーゼＧの活性化を介するヒト動脈及び静脈に対する血管拡張効果を得るための医薬を製造するための、請求項１に記載の医薬組成物の使用。
【請求項８】
プロテインキナーゼＡ及びプロテインキナーゼＧの活性化を介する耐性の動脈に対する血管拡張効果を得るための医薬を製造するための、請求項１に記載の医薬組成物の使用。
【請求項９】
動脈性高血圧、アテローム性動脈硬化症及び再狭窄を試験及び治療するための医薬を製造するための、請求項１に記載の医薬組成物の使用。
【請求項１０】
ジオクレイン及びフロラノール化合物又はそれらの類似体の生物学的利用能を増大するための医薬を製造するための、請求項１に記載の医薬組成物の使用。
【請求項１１】
請求項１に記載の医薬組成物の使用を含む、ジオクレイン及びフロラノール化合物又はそれらの類似体に基づく薬剤及び医薬組成物を開発するための分子モデルを得る方法。
【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
患者における第二度又は第三度熱傷を治療する方法であって、熱傷を治療するために充分な量の酸化還元電位水溶液を患者に投与することを含み、ここで溶液は約６．４から約７．８のｐＨを有しており且つ少なくとも２ヶ月間安定である、方法。
【請求項２】
溶液が少なくとも約１年間安定である、請求項１記載の方法。
【請求項３】
ｐＨが約７．４から約７．６である、請求項１〜２のいずれか１項記載の方法。
【請求項４】
溶液がアノード水及びカソード水を含む、請求項１〜３のいずれか１項記載の方法。
【請求項５】
カソード水が溶液の約１０体積％から約５０体積％の量で存在する、請求項１〜４のいずれか１項記載の方法。
【請求項６】
カソード水が溶液の約２０体積％から約４０体積％の量で存在する、請求項１〜４のいずれか１項記載の方法。
【請求項７】
溶液が熱傷に溶液をスプレーすることによって患者に投与される、請求項１〜６のいずれか１項記載の方法。
【請求項８】
溶液が高圧力洗浄器具を用いて熱傷に溶液をスプレーすることによって患者に投与される、請求項１〜６のいずれか１項記載の方法。
【請求項９】
患者における第二度又は第三度熱傷を治療する方法であって、熱傷を治療するために充分な量の酸化還元電位水溶液を患者に投与することを含み、ここで溶液は少なくとも約１つの遊離塩素種を含み、溶液が少なくとも約２ヶ月間安定である、方法。
【請求項１０】
遊離塩素種が次亜塩素酸、次亜塩素酸イオン、次亜塩素酸ナトリウム、亜塩素酸イオン、塩化物イオン、溶解した塩素気体、及びそれらの混合物からなる群から選択される群から選択される、請求項９記載の方法。
【請求項１１】
遊離塩素種が約１５ｐｐｍから約３５ｐｐｍの量で存在する次亜塩素酸である、請求項９〜１０のいずれか１項記載の方法。
【請求項１２】
遊離塩素種が約２５ｐｐｍから約５０ｐｐｍの量で存在する次亜塩素酸ナトリウムである、請求項９〜１０のいずれか１項記載の方法。
【請求項１３】
溶液が熱傷に溶液をスプレーすることによって患者に投与される、請求項９〜１２のいずれか１項記載の方法。
【請求項１４】
溶液が高圧力洗浄器具を用いて熱傷に溶液をスプレーすることによって患者に投与される、請求項９〜１２のいずれか１項記載の方法。
【請求項１５】
患者における第二度又は第三度熱傷を治療する方法であって、熱傷を治療するために充分な量の酸化還元電位水溶液を患者に投与することを含み、ここで溶液は約１５ｐｐｍから約３５ｐｐｍの量の次亜塩素酸及び約２５ｐｐｍから約５０ｐｐｍの量の次亜塩素酸ナトリウムを含み、溶液は少なくとも約２ヶ月間安定であって、溶液のｐＨは約６．２から約７．８である、方法。
【請求項１６】
患者における第二度又は第三度熱傷を治療する方法であって、（１）熱傷に高圧で酸化還元電位（ＯＲＰ）水溶液をスプレーすること；（２）任意で熱傷をＯＲＰ水溶液に浸すこと；（３）熱傷にＯＲＰ水溶液をスプレーすること；（４）ＯＲＰ水溶液で熱傷を湿潤させたままにしておくことを含み、ここで溶液は約６．４から約７．８のｐＨを有しており且つ少なくとも約２ヶ月間安定である、方法。
【請求項１７】
熱傷がスプレーする前に清拭治療に供される、請求項１６記載の方法。
【請求項１８】
工程（３）〜（４）が１日に３回繰り返される、請求項１６〜１７のいずれか１項記載の方法。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
弱酸性物質と活性成分としての薬理学的に有効な量のL−ドーパとを含み、前記活性成分はより大きなキャリア粒子の表面上に粒子状形態で提供される製薬組成物。
【請求項２】
（ａ）前記キャリア粒子が前記弱酸性物質を含み；及び／または
（ｂ）前記弱酸性物質の粒子が前記キャリア粒子の表面上に提供され；及び／または
（ｃ）前記弱酸性物質の粒子が前記キャリア粒子の間に提供される；
の少なくとも1つを適用する、請求項１に記載の組成物。
【請求項３】
前記活性成分が微粒子の形態をとる、請求項１または２に記載の組成物。
【請求項４】
前記微粒子が約15μm未満の重量ベースの平均粒径を有する、請求項３に記載の組成物。
【請求項５】
存在する活性成分の総量が、当該組成物の総重量に基づき、約2-20重量%の範囲にある、請求項１から４のいずれか一項に記載の組成物。
【請求項６】
前記範囲が約5-15重量%である、請求項５に記載の組成物。
【請求項７】
生体付着及び／または粘膜付着促進剤をさらに含む、請求項１から６のいずれか一項に記載の組成物。
【請求項８】
前記生体付着及び／または粘膜付着促進剤が、5,000を超える重量平均分子量を有するポリマー性物質である、請求項７に記載の組成物。
【請求項９】
前記生体付着及び／または粘膜付着促進剤が、セルロース誘導体、デンプン誘導体、アクリル系ポリマー、ポリビニルピロリドン、酸化ポリエチレン、キトサン、天然ポリマー、スクレログルカン、キサンタンガム、グアーゴム、ポリ コ−（メチルビニルエーテル／無水マレイン酸）、及びクロスカルメロース、またはそれらの混合物から選択される、請求項８に記載の組成物。
【請求項１０】
前記生体付着及び／または粘膜付着促進剤が、ヒドロキシプロピルメチルセルロース、ヒドロキシエチルセルロース、ヒドロキシプロピルセルロース、メチルセルロース、エチルヒドロキシエチルセルロース、カルボキシメチルセルロース、変性セルロースガム、カルボキシメチルセルロースナトリウム、適度に架橋されたデンプン、変性デンプン、デンプングリコール酸ナトリウム、カルボマーまたはその誘導体、架橋されたポリビニルピロリドン、酸化ポリエチレン、キトサン、ゼラチン、アルギン酸ナトリウム、ペクチン、スクレログルカン、キサンタンガム、グアーゴム、ポリ コ−（メチルビニルエーテル／無水マレイン酸）、及びクロスカルメロースナトリウム、あるいはそれらの混合物から選択される、請求項９に記載の組成物。
【請求項１１】
前記生体付着及び／または粘膜付着促進剤が、クロスカルメロースナトリウムまたは架橋されたポリビニルピロリドンである、請求項１０に記載の組成物。
【請求項１２】
存在する生体付着及び／または粘膜付着促進剤の量が、当該組成物の総重量に基づき、約0.1-25重量%の範囲にある、請求項７から１１のいずれか一項に記載の組成物。
【請求項１３】
前記範囲が約1-15重量%である、請求項１２に記載の組成物。
【請求項１４】
前記キャリア粒子が弱酸性物質を含む、請求項１から１３のいずれか一項に記載の組成物。
【請求項１５】
弱酸性物質の粒子もまた、前記キャリア粒子の表面上に少なくとも部分的に提供されている、請求項１４に記載の組成物。
【請求項１６】
前記キャリア粒子が弱酸性物質を含まず、且つ弱酸性物質の粒子が前記キャリア粒子の表面上に提供されている、請求項１から１３のいずれか一項に記載の組成物。
【請求項１７】
弱酸性物質の粒子が前記キャリア粒子の間に提供されている、請求項１から１６のいずれか一項に記載の組成物。
【請求項１８】
前記キャリア粒子が、炭水化物、製薬上許容し得る無機塩、ポリマー、またはそれらの混合物を含むまたは含有する、請求項１から１７のいずれか一項に記載の組成物。
【請求項１９】
前記粒子が、糖、マンニトール、ラクトース、塩化ナトリウム、リン酸カルシウム、リン酸二カルシウム水和物、リン酸二カルシウム脱水物、リン酸三カルシウム、炭酸カルシウム、硫酸バリウム、結晶セルロース、セルロース、架橋されたポリビニルピロリドン、またはそれらの混合物を含むまたは含有する、請求項１８に記載の組成物。
【請求項２０】
前記粒子が、マンニトール及び／またはラクトースを含むまたは含有する、請求項１９に記載の組成物。
【請求項２１】
前記弱酸性物質が食物酸である、請求項１から２０のいずれか一項に記載の組成物。
【請求項２２】
前記酸が、クエン酸、酒石酸、アマル酸、フマル酸、アジピン酸、コハク酸、またはそれらの組合せである、請求項２１に記載の組成物。
【請求項２３】
前記酸がクエン酸である、請求項２２に記載の組成物。
【請求項２４】
前記キャリア粒子のサイズが約50-750μmである、請求項１から２３のいずれか一項に記載の組成物。
【請求項２５】
前記粒子サイズが約100-600μmである、請求項２４に記載の組成物。
【請求項２６】
前記生体付着及び／または粘膜付着促進剤が、約1-100μmの範囲にある粒子サイズを有する、請求項７から２５のいずれか一項に記載の組成物。
【請求項２７】
使用される活性成分の粒子及び前記キャリア粒子の相対サイズ及び量が、前記キャリア粒子が前記活性成分によって少なくとも約90%被覆され得ることを保証するのに十分である、請求項１から２６のいずれか一項に記載の組成物。
【請求項２８】
ドーパミン脱炭素酵素インヒビターをさらに含む、請求項１から２７のいずれか一項に記載の組成物。
【請求項２９】
舌下投与に適した錠剤の形態をとる、請求項１から２８のいずれか一項に記載の組成物。
【請求項３０】
前記組成物が崩壊剤をさらに含む、請求項２９に記載の組成物。
【請求項３１】
前記崩壊剤が、架橋されたポリビニルピロリドン、カルボキシメチルデンプン、天然デンプン、及びそれらの混合物から選択される、請求項３０に記載の組成物。
【請求項３２】
前記崩壊剤の量が、当該組成物の総重量に基づき、約2-7重量%である、請求項３０または３１に記載の組成物。
【請求項３３】
前記キャリア粒子を、前記活性成分及びさらなる弱酸性の粒子（存在する場合）とともに乾燥混合する工程を含む、請求項１から２８のいずれか一項に記載の組成物の調製方法。
【請求項３４】
前記生体付着／粘膜付着促進剤もまた、微細粒子の形態で、前記キャリア粒子とともに混合する、請求項３３に記載の方法。
【請求項３５】
請求項２９から３２のいずれか一項に規定の舌下錠剤の調製方法であって、請求項１から２８のいずれか一項に記載の組成物を直接に押し固めるまたは圧縮する工程を含む方法。
【請求項３６】
パーキンソン病の治療用の薬剤の製造のための、請求項１から３２のいずれか一項に記載の組成物の使用。
【請求項３７】
前記治療が、パーキンソン病の治療のためにL−ドーパを摂取している患者における運動症状の変動のものである、請求項３６に記載の使用。
【請求項３８】
医薬における使用のための、請求項１から３２のいずれか一項に記載の組成物。
【請求項３９】
パーキンソン病の治療における使用のための、請求項１から３２のいずれか一項に記載の組成物。
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
カルシトニン、グルココルチコイド、および薬学的に許容される担体を含む、薬学的組成物。
【請求項２】
グルココルチコイドが、プレドニゾロン、デキサメタゾン、メチルプレドニゾロン、ブデソニド、ヒドロコルチゾン、ベタメタゾン、トリアムシノロン、およびフルドロコルチゾンプレドニゾロンからなる群より選択される、請求項1記載の薬学的組成物。
【請求項３】
抗リウマチ薬をさらに含む、請求項1または請求項2記載の薬学的組成物。
【請求項４】
抗リウマチ薬がメトトレキセートである、請求項3記載の薬学的組成物。
【請求項５】
抗体、またはその断片もしくは誘導体をさらに含む、請求項1〜4のいずれか一項記載の薬学的組成物。
【請求項６】
抗体がTNF受容体(TNF-R)に対して作製される、請求項5記載の薬学的組成物。
【請求項７】
抗体がモノクローナル抗体である、請求項5または請求項6記載の薬学的組成物。
【請求項８】
モノクローナル抗体がエタネルセプトである、請求項7記載の薬学的組成物。
【請求項９】
医用薬剤における使用のための、請求項1〜8のいずれか一項記載の薬学的組成物。
【請求項１０】
炎症性の疾患または状態の治療用の薬物の調製における、カルシトニンおよびグルココルチコイドの使用。
【請求項１１】
グルココルチコイドが、プレドニゾロン、デキサメタゾン、メチルプレドニゾロン、ブデソニド、ヒドロコルチゾン、ベタメタゾン、トリアムシノロン、およびフルドロコルチゾンプレドニゾロンからなる群より選択される、請求項10記載の使用。
【請求項１２】
薬物が抗リウマチ薬をさらに含む、請求項10または請求項11記載の使用。
【請求項１３】
抗リウマチ薬がメトトレキセートである、請求項12記載の使用。
【請求項１４】
薬物が、抗体、またはその断片もしくは誘導体をさらに含む、請求項10〜13のいずれか一項記載の使用。
【請求項１５】
抗体がTNF受容体(TNF-R)に対して作製される、請求項14記載の使用。
【請求項１６】
抗体がモノクローナル抗体である、請求項14または請求項15記載の使用。
【請求項１７】
モノクローナル抗体がモノクローナル抗体融合タンパク質である、請求項16記載の使用。
【請求項１８】
モノクローナル抗体融合タンパク質がエタネルセプトである、請求項17記載の使用。
【請求項１９】
それを必要とする対象への、個別投与、同時投与、または連続投与用のカルシトニンおよびグルココルチコイドを含むパーツのキット。
【請求項２０】
それを必要とする対象への、個別投与、同時投与、または連続投与用のカルシトニン、グルココルチコイド、および抗リウマチ薬を含むパーツのキット。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
ｉ）抗アンドロゲン薬剤および／または細胞静止剤から選択される１以上の活性物質および／またはプロドラッグの初期増加投与量を与える第一の成分；および
ｉｉ）硫酸カルシウムから選択される生分解性セラミックキャリヤー中に抗アンドロゲン薬剤および／または細胞静止剤である１以上の活性物質を含む放出制御性医薬組成物を含む第二の成分
を含む前立腺関連疾患の治療のためのキット。
【請求項２】
前記第一の成分および／または前記第二の成分が、前立腺への局所投与用の医薬組成物である請求項１に記載のキット。
【請求項３】
前記硫酸カルシウムが、粉末形態である請求項１または請求項２に記載のキット。
【請求項４】
前記硫酸カルシウムが、その半水和物もしくは２水和物またはそれらの混合物である請求項１〜３のいずれか一つに記載のキット。
【請求項５】
水を基礎とする溶液である第三の成分をさらに含む、請求項１〜４のいずれか一つに記載のキット。
【請求項６】
前記抗アンドロゲン薬剤が、フルタミドから選択される請求項１に記載のキット。
【請求項７】
前記細胞静止剤が、シクロホスファミドである請求項１に記載のキット。
【請求項８】
前記第三の成分が、第一の成分および／または第二の成分と共に調製されている請求項５に記載のキット。
【請求項９】
前記第一の成分が、経口、経皮、肺、鼻、舌下、直腸またはいずれかの非経口経路によって投与されるか、または前立腺組織に局所投与される請求項１〜８のいずれか一つに記載のキット。
【請求項１０】
前記第二の成分が、経尿道、経直腸または経会陰経路を介して前立腺組織またはその近傍に注射される請求項１〜９のいずれか一つに記載のキット。
【請求項１１】
前記第二の成分が、前記第一の成分と同じ場合に投与されるか、または前記第一の成分の投与から７日以内に前記第２の成分が投与される請求項１〜１０のいずれか一つに記載のキット。
【請求項１２】
前記前立腺関連疾患が、前立腺癌、良性前立腺肥大症、または急性もしくは慢性前立腺炎から選択される請求項１〜１１のいずれか一つに記載のキット。
【請求項１３】
前記前立腺関連疾患が、前立腺癌である請求項１２に記載のキット。
【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
第二級ジアミンを生じさせる方法であって、第二級ジアミンが生じるように少なくとも１種のケトンもしくはアルデヒド、水素、炭素に担持されている硫化白金、炭素に担持されている硫化パラジウムおよびこれらの混合物から成る群から選択した水添用触媒および少なくとも１種の第一級ジアミンを一緒に混合することを含んで成っていて、前記第一級ジアミンが、脂肪族第一級ジアミンであり、そしてここで、前記方法を約２０℃から約１４０℃の範囲内の温度および１平方インチ当たり約１４から約１５０ポンドの範囲内の水素圧で実施する、
方法。
【請求項２】
前記ケトンまたはアルデヒドがケトンでありそしてアセトン、メチルエチルケトン、３，３−ジメチル−２−ブタノン、４−メチル−２−ペンタノン、シクロヘキサノン、４−ヘプタノンまたは５−ノナノンである請求項１記載の方法。
【請求項３】
前記第一級ジアミンが脂肪族第一級ジアミンであり、そしてここで、前記脂肪族第一級ジアミンがイソホロンジアミン、１，６−ジアミノヘキサン、１，８−ジアミノオクタンまたは３（４），８（９）−ビス−（アミノメチル）−トリシクロ［５．２．１．０（２，６）］デカンである請求項１記載の方法。
【請求項４】
前記第一級ジアミンが脂肪族第一級ジアミンであり、ここで、前記脂肪族第一級ジアミンがイソホロンジアミン、１，６−ジアミノヘキサン、１，８−ジアミノオクタンまたは３（４），８（９）−ビス−（アミノメチル）−トリシクロ［５．２．１．０（２，６）］デカンであり、そしてここで、前記ケトンまたはアルデヒドがケトンでありそしてアセトン、メチルエチルケトン、３，３−ジメチル−２−ブタノン、４−メチル−２−ペンタノン、シクロヘキサノン、４−ヘプタノンまたは５−ノナノンである請求項１記載の方法。
【請求項５】
前記第一級ジアミンが、脂肪族第一級ジアミンであり、そしてここで、前記方法を約２０℃から約８０℃の範囲内の温度および１平方インチ当たり約５０ポンドから１平方インチ当たり約１２５ポンドの範囲内の水素圧で実施する、
請求項１記載の方法。
【請求項６】
第二級ジアミンが生じるように、前記水添用触媒を存在させておいた反応ゾーンの中に（ｉ）少なくとも１種のケトンまたはアルデヒドおよび少なくとも１種の第一級ジアミン（これらを個別および／またはいずれかの組み合わせ１種または２種以上で供給する）と（ｉｉ）水素を同時に供給することを含んで成っていて、前記温度および前記水素圧を前記同時供給を実施している時間の全部または実質的に全部に渡って連続的または実質的に連続的に維持する請求項１記載の方法。
【請求項７】
連続方法として実施する請求項６記載の方法。
【請求項８】
半バッチ式方法として実施する請求項６記載の方法。
【請求項９】
前記水添用触媒が炭素に担持されている硫化白金である請求項１または６記載の方法。
【請求項１０】
前記ケトンまたはアルデヒドがケトンでありそしてアセトン、メチルエチルケトン、３，３−ジメチル−２−ブタノン、４−メチル−２−ペンタノン、シクロヘキサノン、４−ヘプタノンまたは５−ノナノンである請求項６記載の方法。
【請求項１１】
前記第一級ジアミンが脂肪族第一級ジアミンであり、ここで、前記脂肪族第一級ジアミンがイソホロンジアミン、１，６−ジアミノヘキサン、１，８−ジアミノオクタンまたは３（４），８（９）−ビス−（アミノメチル）−トリシクロ［５．２．１．０（２，６）］デカンであり、そしてここで、前記ケトンまたはアルデヒドがケトンでありそしてアセトン、メチルエチルケトン、３，３−ジメチル−２−ブタノン、４−メチル−２−ペンタノン、シクロヘキサノン、４−ヘプタノンまたは５−ノナノンである請求項６記載の方法。
【請求項１２】
前記第一級ジアミンが、脂肪族第一級ジアミンであり、そしてここで、前記方法を約２０℃から約８０℃の範囲内の温度および１平方インチ当たり約５０ポンドから１平方インチ当たり約１２５ポンドの範囲内の水素圧で実施する、
請求項６記載の方法。
【請求項１３】
前記脂肪族第一級ジアミンが、１，６−ジアミノヘキサンであり、前記ケトンまたはアルデヒドがケトンでありそして３，３−ジメチル−２−ブタノンである請求項１または６記載の方法。
【請求項１４】
前記ケトンまたはアルデヒドが２種以上のケトン、２種以上のアルデヒドまたは少なくとも１種のケトンと少なくとも１種のアルデヒドの混合物である請求項６記載の方法。
【請求項１５】
Ｎ，Ｎ’−ジ−５−ノニル−イソホロンジアミン、Ｎ，Ｎ’−ジ−２−（４−メチルペンチル）−イソホロンジアミン、Ｎ，Ｎ’−ジ−（３，３−ジメチル−２−ブチル）−ＴＣＤジアミンおよびＮ，Ｎ’−ジ−（３，３−ジメチル−２−ブチル）−１，６−ジアミ
ノヘキサンから成る群から選択した少なくとも１種の脂肪族第二級ジアミンと少なくとも１種のポリオールおよび／または少なくとも１種のポリエーテルアミンと少なくとも１種のイソシアネートを含んで成る材料から生じさせた配合物。
【請求項１６】
前記材料が更に２，４−ジエチル−６−メチル−１，３−ベンゼンジアミンと４，６−ジエチル−２−メチル−１，３−ベンゼンジアミンとの混合物を含んで成る請求項１５記載の配合物。
【請求項１７】
前記脂肪族第二級ジアミンがＮ，Ｎ’−ジ−（３，３−ジメチル−２−ブチル）−１，６−ジアミノヘキサンである請求項１５または１６記載の配合物。
【請求項１８】
ポリウレタン、ポリ尿素またはポリ尿素−ウレタンの製造方法であって、Ｎ，Ｎ’−ジ−５−ノニル−イソホロンジアミン、Ｎ，Ｎ’−ジ−２−（４−メチルペンチル）−イソホロンジアミン、Ｎ，Ｎ’−ジ−（３，３−ジメチル−２−ブチル）−ＴＣＤジアミンおよびＮ，Ｎ’−ジ−（３，３−ジメチル−２−ブチル）−１，６−ジアミノヘキサンから成る群から選択した少なくとも１種の脂肪族第二級ジアミンと少なくとも１種のポリオールおよび／または少なくとも１種のポリエーテルアミンと少なくとも１種のイソシアネートを一緒に混合することを含んで成る方法。
【請求項１９】
前記材料が更に２，４−ジエチル−６−メチル−１，３−ベンゼンジアミンと４，６−ジエチル−２−メチル−１，３ベンゼンジアミンとの混合物を含んで成る請求項１８記載の方法。
【請求項２０】
前記脂肪族第二級ジアミンがＮ，Ｎ’−ジ−（３，３−ジメチル−２−ブチル）−１，６−ジアミノヘキサンである請求項１８または１９記載の方法。
【請求項２１】
Ｎ，Ｎ’−ジ−（３，３−ジメチル−２−ブチル）−１，６−ジアミノヘキサンである脂肪族第二級ジアミン。
【請求項２２】
Ｎ，Ｎ’−ジ−（３，３−ジメチル−２−ブチル）−１，６−ジアミノヘキサンおよび２，４−ジエチル−６−メチル−１，３−ベンゼンジアミンと４，６−ジエチル−２−メチル−１，３−ベンゼンジアミンとの混合物を含んで成る鎖伸長剤。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
クロロシランの加水分解方法であって、
（ｉ）１つ以上のクロロシランを第１の超共沸性塩酸蒸留塔に供給すると共に、シクロシロキサン及び線状クロロシロキサンを前記第１の塔から除去すること、
（ｉｉ）実質的に塩化物を含まない水を第２の低共沸性塩酸蒸留塔に供給すること、
（ｉｉｉ）前記第１の塔の上部からＨＣｌガスを除去すること、
（ｉｖ）前記第１の塔の下部から飽和ＨＣｌ水を除去すると共に、前記第１の塔の上部へ前記飽和ＨＣｌ水を再循環させること、
（ｖ）前記第１の塔からの前記シクロシロキサン及び前記線状クロロシロキサンを前記第２の塔に供給すること、
（ｖｉ）実質的に塩化物を含まないシクロシロキサンを前記第２の塔の上部から除去すると共に、実質的に塩化物を含まない不揮発性シロキサンを前記第２の塔の下部から除去すること、並びに
（ｖｉｉ）ＨＣｌ水を前記第２の塔の下部から除去すると共に、前記ＨＣｌ水を前記第１の塔へ再循環させること
を含む、クロロシランの加水分解方法。
【請求項２】
前記第２の塔において、揮発性及び不揮発性のシクロシロキサン及び線状クロロシロキサンを、それぞれの沸点よりも低い温度及び圧力で分離すること、
前記第２の塔の下部から除去される前記ＨＣｌ水を部分的に蒸発させ、前記加熱ＨＣｌ水の第１の液体部分を前記第１の塔へ再循環させ、第２の蒸気部分を前記第２の塔の下部へ再循環させること
をさらに含み、前記第２の塔に供給される実質的に塩化物を含まない水が、前記第１の塔に供給されるクロロシランの量に対して必要とされる化学量論的な量よりも少ない量から、前記第１の塔に供給されるクロロシランの量に対して必要とされる化学量論的な量よりも多い量までの範囲の量である、請求項１に記載のクロロシランの加水分解方法。
【請求項３】
１〜３６パーセントのＨＣｌ水を外部供給源から前記第１の塔に供給すること、及び前記外部供給源からのＨＣｌを前記第１の塔の上部からＨＣｌガスとして回収することをさらに含み、前記第２の塔の下部から除去される前記ＨＣｌ水が、共沸濃度未満のＨＣｌ水を含有する流れである、請求項１に記載のクロロシランの加水分解方法。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
患者におけるリポジストロフィまたは前立腺がんを処置するための医薬の製造における組成物の使用であって、
該医薬は、該患者において３日間〜３０日間の期間にわたって、テストステロンの薬理学的に有効な血中濃度を達成するために単一用量として該患者に投与されるものであることを特徴とし、
該組成物は、
０％ｗ／ｗ〜約２９％ｗ／ｗのシス−クロミフェンと、
約１００％〜約７１％のトランス−クロミフェンまたはそのアナログとを含む、使用。
【請求項２】
前記組成物が、トランス−クロミフェンまたはそのアナログから本質的になる、請求項１に記載の使用。
【請求項３】
前記単一用量が、約５ｍｇ〜約１００ｍｇである、請求項１に記載の使用。
【請求項４】
前記単一用量が、約１２．５ｍｇ〜約５０ｍｇである、請求項３に記載の使用。
【請求項５】
前記単一用量が、１２．５ｍｇ、２５ｍｇまたは５０ｍｇである、請求項４に記載の使用。
【請求項６】
前記期間が、約７日間〜約１５日間である、請求項１に記載の使用。
【請求項７】
前記期間が、約１０日間〜約１２日間である、請求項６に記載の使用。
【請求項８】
男性の性腺機能低下症、男性の性腺機能低下症に関連する障害、または良性前立腺肥大症を処置するための医薬の製造における組成物の使用であって、
該医薬は、約５ｍｇ〜約１００ｍｇの用量で患者に対して１週間に１回または２週間に１回投与されるものであることを特徴とし、
該組成物は、
０％ｗ／ｗ〜約２９％ｗ／ｗのシス−クロミフェンと、
約１００％〜約７１％のトランス−クロミフェンまたはそのアナログとを含む、使用。
【請求項９】
前記組成物が、トランス−クロミフェンまたはそのアナログから本質的になる、請求項８に記載の使用。
【請求項１０】
前記用量が、約１２．５ｍｇ〜約５０ｍｇである、請求項８に記載の使用。
【請求項１１】
前記用量が、１２．５ｍｇ、２５ｍｇまたは５０ｍｇである、請求項８に記載の使用。
【請求項１２】
前記医薬が１週間に１回投与されるものであることを特徴とする、請求項８に記載の使用。
【請求項１３】
前記医薬が２週間に１回投与されるものであることを特徴とする、請求項８に記載の使用。
【請求項１４】
前記医薬が、良性前立腺肥大症を処置するためのものである、請求項８に記載の使用。
【請求項１５】
前記医薬が、男性の性腺機能低下症を処置するためのものである、請求項８に記載の使用。
【請求項１６】
前記医薬が、男性の性腺機能低下症に関連する障害を処置するためのものである、請求項８に記載の使用。
【請求項１７】
前記障害が、筋肉質量の減少である、請求項１６に記載の使用。
【請求項１８】
前記障害が、身体のパフォーマンス能力の制限である、請求項１６に記載の使用。
【請求項１９】
前記障害が、骨密度の低下である、請求項１６に記載の使用。
【請求項２０】
前記障害が、性欲の低下である、請求項１６に記載の使用。
【請求項２１】
前記障害が、性的能力の低下である、請求項１６に記載の使用。
【請求項２２】
前記障害が、不妊症である、請求項１６に記載の使用。
【請求項２３】
患者におけるリポジストロフィまたは前立腺がんを処置するための組成物であって、
該組成物は、該患者において３日間〜３０日間の期間にわたって、テストステロンの薬理学的に有効な血中濃度を達成するために単一用量として該患者に投与されることを特徴とし、
該組成物は、
０％ｗ／ｗ〜約２９％ｗ／ｗのシス−クロミフェンと、
約１００％〜約７１％のトランス−クロミフェンまたはそのアナログとを含む、組成物。
【請求項２４】
トランス−クロミフェンまたはそのアナログから本質的になる、請求項２３に記載の組成物。
【請求項２５】
前記単一用量が、約５ｍｇ〜約１００ｍｇである、請求項２３に記載の組成物。
【請求項２６】
前記単一用量が、約１２．５ｍｇ〜約５０ｍｇである、請求項２５に記載の組成物。
【請求項２７】
前記単一用量が、１２．５ｍｇ、２５ｍｇまたは５０ｍｇである、請求項２６に記載の組成物。
【請求項２８】
前記期間が、約７日間〜約１５日間である、請求項２３に記載の組成物。
【請求項２９】
前記期間が、約１０日間〜約１２日間である、請求項２８に記載の組成物。
【請求項３０】
男性の性腺機能低下症、男性の性腺機能低下症に関連する障害、または良性前立腺肥大症を処置するための組成物であって、
該組成物は、約５ｍｇ〜約１００ｍｇの用量で患者に対して１週間に１回または２週間に１回投与されることを特徴とし、
該組成物は、
０％ｗ／ｗ〜約２９％ｗ／ｗのシス−クロミフェンと、
約１００％〜約７１％のトランス−クロミフェンまたはそのアナログとを含む、組成物。
【請求項３１】
トランス−クロミフェンまたはそのアナログから本質的になる、請求項３０に記載の組成物。
【請求項３２】
前記用量が、約１２．５ｍｇ〜約５０ｍｇである、請求項３０に記載の組成物。
【請求項３３】
前記用量が、１２．５ｍｇ、２５ｍｇまたは５０ｍｇである、請求項３０に記載の組成物。
【請求項３４】
１週間に１回投与されることを特徴とする、請求項３０に記載の組成物。
【請求項３５】
２週間に１回投与されることを特徴とする、請求項３０に記載の組成物。
【請求項３６】
良性前立腺肥大症を処置するための、請求項３０に記載の組成物。
【請求項３７】
男性の性腺機能低下症を処置するための、請求項３０に記載の組成物。
【請求項３８】
男性の性腺機能低下症に関連する障害を処置するための、請求項３０に記載の組成物。
【請求項３９】
前記障害が、筋肉質量の減少である、請求項３８に記載の組成物。
【請求項４０】
前記障害が、身体のパフォーマンス能力の制限である、請求項３８に記載の組成物。
【請求項４１】
前記障害が、骨密度の低下である、請求項３８に記載の組成物。
【請求項４２】
前記障害が、性欲の低下である、請求項３８に記載の組成物。
【請求項４３】
前記障害が、性的能力の低下である、請求項３８に記載の組成物。
【請求項４４】
前記障害が、不妊症である、請求項３８に記載の組成物。
【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
活性化合物としてＯ−デスメチルベンラファキシン(O-desmethylvenlafaxine)またはその医薬上許容される塩とバゼドキシフェンまたはその医薬上許容される塩とを含む組み合わせ生成物。
【請求項２】
前記生成物はＯ−デスメチルベンラファキシンスクシネートを含む、請求項１に記載の生成物。
【請求項３】
前記生成物はバゼドキシフェンアセテートを含む、請求項１または２に記載の生成物。
【請求項４】
錠剤を含む、請求項１〜３のいずれか一項に記載の生成物。
【請求項５】
前記錠剤は多層錠であり、前記活性化合物は個別層内に位置する、請求項４に記載の生成物。
【請求項６】
前記バゼドキシフェンは、Ｏ−デスメチルベンラファキシンコアを覆うコーティング層内に提供される、請求項１〜５のいずれか一項に記載の生成物。
【請求項７】
前記バゼドキシフェンは前記生成物の約２０ｍｇを構成する、請求項６に記載の生成物。
【請求項８】
カプセル剤を含む、請求項１〜３のいずれか一項に記載の生成物。
【請求項９】
Ｏ−デスメチルベンラファキシン遊離塩基の量に基づいて、１０ｍｇ〜５００ｍｇのＯ−デスメチルベンラファキシンスクシネートを含む、請求項１〜８のいずれか一項に記載の生成物。
【請求項１０】
Ｏ−デスメチルベンラファキシン遊離塩基の量に基づいて、１５０ｍｇのＯ−デスメチルベンラファキシンスクシネートを含む、請求項９に記載の生成物。
【請求項１１】
バゼドキシフェンまたはその医薬上許容される塩を５ｍｇ〜１００ｍｇの量で含む、請求項１〜１０のいずれか一項に記載の生成物。
【請求項１２】
デスベンラファキシンスクシネート、ヒポメロース（ｈｙｐｏｍｅｌｌｏｓｅ）、微結晶セルロース、タルク、およびマグネシウムステアレートを含有する第１層とバゼドキシフェンまたはその医薬上許容される塩を含有する第２層とを含む錠剤。
【請求項１３】
前記第２層は、バゼドキシフェンアセテート、ラクトース、微結晶セルロース、およびデンプンを含む、請求項１２に記載の錠剤。
【請求項１４】
前記第１層は：
４５〜５５重量％のデスベンラファキシンスクシネート；
３５〜４５重量％のヒポメロース；
３〜４重量％の微結晶セルロース；
４〜５重量％のタルク；および
１〜２重量％のマグネシウムステアレートを含む１０ｍｇ〜５００ｍｇのデスベンラファキシンスクシネートの顆粒を含む、請求項１２または１３に記載の錠剤。
【請求項１５】
前記デスベンラファキシンスクシネートは約５０％であり、前記ヒポメロースは約４０重量％である、請求項１２〜１４のいずれか一項に記載の錠剤。
【請求項１６】
前記第２層は：
１０重量％のバゼドキシフェンアセテート；
３０〜３５重量％のラクトース；
２５〜３０重量％の微結晶セルロース；
１２〜１６重量％のα化デンプン；
１〜２重量％のナトリウムラウリルサルフェート；
５〜８重量％のナトリウムデンプングリコレート；
１〜２重量％のアスコルビン酸；
＜１重量％のシリコンジオキシド；および
＜1重量％のマグネシウムステアレートを含む５ｍｇ〜１００ｍｇのバゼドキシフェンアセテートの顆粒を含む、請求項１２〜１５のいずれか一項に記載の錠剤。
【請求項１７】
前記第２層は、４０ｍｇのバゼドキシフェンアセテートの顆粒を含む、請求項１６に記載の錠剤。
【請求項１８】
前記第２層は、５ｍｇ〜１００ｍｇのバゼドキシフェンと等価の量のバゼドキシフェンまたはその塩を有する固体分散体混合物を含む、請求項１２に記載の錠剤。
【請求項１９】
前記バゼドキシフェンまたはその塩は、２０ｍｇの固体分散体混合物である、請求項１８に記載の錠剤。
【請求項２０】
前記固体分散体混合物は：
約４０重量％のバゼドキシフェン：ポリビニルピロリドン固体分散体；
約５０重量％の微結晶セルロース；
約１０重量％のクロスカルメロースナトリウム；および
約１重量％のマグネシウムステアレートを含む、請求項１６に記載の錠剤。
【請求項２１】
前記バゼドキシフェンは、錠剤１錠当たり約２０ｍｇの量でコーティング層内に提供される、請求項１２に記載の錠剤。
【請求項２２】
前記コーティング層は、バゼドキシフェンアセテートおよびヒポメロースを含む、請求項２１に記載の錠剤。
【請求項２３】
デスベンラファキシンスクシネート多微粒子およびバゼドキシフェンまたはその医薬上許容される塩を含むカプセル剤。
【請求項２４】
前記バゼドキシフェンまたはその医薬上許容される塩は固体分散体の形状にある、請求項２３に記載のカプセル剤。
【請求項２５】
前記バゼドキシフェンまたはその医薬上許容される塩は顆粒の形状にある、請求項２３に記載のカプセル剤。
【請求項２６】
前記バゼドキシフェンは、多微粒子に塗布されるコーティングである、請求項２３に記載のカプセル剤。
【請求項２７】
前記多微粒子は、デスベンラファキシンスクシネートおよび微結晶セルロースを含む、請求項２３に記載のカプセル剤。
【請求項２８】
顔面潮紅、骨粗鬆症、および／または膣萎縮症の治療において有用な医薬品の調製における、請求項１〜２７のいずれか一項に記載の組み合わせ生成物の使用。
【請求項２９】
エストロゲンの低血中濃度を特徴とする障害の治療において有用な医薬品の調製における、請求項１〜２７のいずれか一項に記載の組み合わせ生成物の使用。
【請求項３０】
うつ病、線維筋痛症、不安、腹圧性尿失禁、および／または過敏性腸症候群の治療において有用な医薬品の調製における、請求項１〜２７のいずれか一項に記載の組み合わせ生成物の使用。
【請求項３１】
顔面潮紅、骨粗鬆症、および／または膣萎縮症；またはエストロゲンの低血中濃度を特徴とする障害；またはうつ病、線維筋痛症、不安、腹圧性尿失禁、および／または過敏性腸症候群を治療するための医薬品の調製における、Ｏ−デスメチルベンラファキシンもしくはその医薬上許容される塩またはバゼドキシフェンもしくはその医薬上許容される塩の使用。
【請求項３２】
顔面潮紅、骨粗鬆症、および／または膣萎縮症；またはエストロゲンの低血中濃度を特徴とする障害；またはうつ病、線維筋痛症、不安、腹圧性尿失禁、および／または過敏性腸症候群を治療するための医薬品の調製における、その治療がバゼドキシフェンまたはその医薬上許容される塩の投与もまた含む、Ｏ−デスメチルベンラファキシンまたはその医薬上許容される塩の使用。
【請求項３３】
顔面潮紅、骨粗鬆症、および／または膣萎縮症；またはエストロゲンの低血中濃度を特徴とする障害；またはうつ病、線維筋痛症、不安、腹圧性尿失禁、および／または過敏性腸症候群を治療するための医薬品の調製における、その治療がＯ−デスメチルベンラファキシンまたはその医薬上許容される塩の投与もまた含む、バゼドキシフェンまたはその医薬上許容される塩の使用。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
複数の炭化水素の製造方法であって、臭化メチルと、アルカリ土類金属がドープされたゼオライトとを、複数の炭化水素を生じさせるのに十分な温度及び圧力で接触させることを含む、複数の炭化水素の製造方法。
【請求項２】
前記アルカリ土類元素がカルシウム、マグネシウム及びそれらの混合物よりなる群から選択される、請求項１に記載の方法。
【請求項３】
前記ゼオライトが約８０：１〜２８０：１のＳｉ：Ａｌ比を有する、請求項１に記載の方法。
【請求項４】
前記ゼオライトが約８０：１のＳｉ：Ａｌ比を有する、請求項１に記載の方法。
【請求項５】
前記ゼオライトが約２８０：１のＳｉ：Ａｌ比を有する、請求項１に記載の方法。
【請求項６】
前記希土類元素がドープされたゼオライトが約４：１のアルカリ土類金属：珪素比を有する、請求項１に記載の方法。
【請求項７】
前記複数の炭化水素が少なくとも１種の芳香族炭化水素を含む、請求項１に記載の方法。
【請求項８】
前記少なくとも１種の芳香族炭化水素がベンゼン、トルエン、キシレン、エチルベンゼン、メシチレン及びエチルメチルベンゼンよりなる群から選択される少なくとも１種の炭化水素を含む、請求項７に記載の方法。
【請求項９】
前記複数の炭化水素が少なくとも１種の分岐アルカンを含む、請求項１に記載の方法。
【請求項１０】
前記複数の炭化水素が少なくとも１種のオレフィンを含む、請求項１に記載の方法。
【請求項１１】
前記複数の炭化水素が少なくとも１種のアルカン、少なくとも１種のオレフィン及び少なくとも１種の芳香族炭化水素を含む、請求項１に記載の方法。
【請求項１２】
前記複数の炭化水素が炭化水素のガソリン等級混合物を含む、請求項１に記載の方法。
【請求項１３】
形成される任意のＣ1〜Ｃ3炭化水素と、アルカリ土類金属がドープされたゼオライトとを接触させて１種以上のＣ4又はそれよりも高級の炭化水素を形成させることをさらに含む、請求項１に記載の方法。
【請求項１４】
前記臭化メチルが、メタンを臭素化させることによって形成された、請求項１に記載の方法。
【請求項１５】
Ｂｒ2を使用してメタンを臭素化させる、請求項１４に記載の方法。
【請求項１６】
複数の炭化水素の製造方法であって、
臭化メチルと、アルカリ土類金属がドープされたゼオライトとを、複数の炭化水素であってそのうちの少なくとも５０％がＣ6又はそれよりも高級の炭化水素であるものを生じさせるのに十分な温度及び圧力で接触させることを含む、複数の炭化水素の製造方法。
【請求項１７】
複数の炭化水素の製造方法であって、
臭化メチルと、アルカリ土類金属がドープされたゼオライトとを、複数の炭化水素であってそのうちの少なくとも７０％がＣ5又はそれよりも高級の炭化水素であるものを生じさせるのに十分な温度及び圧力で接触させることを含む、複数の炭化水素の製造方法。
【請求項１８】
複数の炭化水素の製造方法であって、
臭化メチルと、アルカリ土類金属がドープされたゼオライトとを、複数の炭化水素であってそのうちの少なくとも５０％がＣ6又はそれよりも高級の炭化水素で、そのうちの少なくとも７０％がＣ5又はそれよりも高級の炭化水素であるものを生じさせるのに十分な温度及び圧力で接触させることを含む、複数の炭化水素の製造方法。
【請求項１９】
前記温度が２２５℃〜３５０℃であり、前記圧力が１〜５ｂａｒである、請求項１８に記載の方法。
【請求項２０】
前記ドープされたゼオライトが、４：１のＣａ：Ｓｉ比にまでカルシウムがドープされたＺＳＭ−５型ゼオライトである、請求項１８に記載の方法。
【手続補正書】
【提出日】平成21年3月25日(2009.3.25)
【手続補正１】
【補正対象書類名】特許請求の範囲
【補正対象項目名】全文
【補正方法】変更
【補正の内容】
【特許請求の範囲】
【請求項１】
少なくとも２種の液相を含む組成物中の相分離改善のために、少なくとも1種のハイドロフォビンを使用する方法。
【請求項２】
少なくとも1種のハイドロフォビンを乳化破壊剤として使用する、請求項１に記載の方法。
【請求項３】
少なくとも1種のハイドロフォビンがハイドロフォビン融合体である、請求項１または２に記載の方法。
【請求項４】
ハイドロフォビン融合体が配列番号２０、配列番号２２および配列番号２４の群から選ばれた少なくとも1種である、請求項３に記載の方法。
【請求項５】
少なくとも２種の液相を含む組成物が以下からなる群、
−水と油とを含む組成物；
−燃料または可燃物と水とを含む組成物；および
−少なくとも２種の液相を含む反応混合物、
から選ばれる、請求項１〜４に記載の方法。
【請求項６】
少なくとも1種のハイドロフォビンが全組成物に対し０．０００１〜１０００ｐｐｍの量で用いられる、請求項１〜５に記載の方法。
【請求項７】
組成物が原油−水組成物であり、少なくとも1種のハイドロフォビンが全組成物に対し１〜８００ｐｐｍの量で用いられる、請求項６に記載の方法。
【請求項８】
組成物が燃料／可燃物−水組成物であり、少なくとも1種のハイドロフォビンが全組成物に対し０．００１〜１０ｐｐｍの量で用いられる、請求項６に記載の方法。
【請求項９】
相分離を改善する少なくとも１つのさらなる化合物が、少なくとも1種のハイドロフォビンの他に用いられる、請求項１〜８に記載の方法。
【請求項１０】
組成物中に少なくとも1種のハイドロフォビンを添加することを含む、、少なくとも２種の液相を含む組成物中の少なくとも２種の液相の分離法。
【請求項１１】
少なくとも1種のハイドロフォビンがハイドロフォビン融合体またはその誘導体である、請求項１０に記載の方法。
【請求項１２】
ハイドロフォビン融合蛋白質が（配列番号２０）、（配列番号２２）および（配列番号２４）の群から選ばれた少なくとも1種である、請求項１１に記載の方法。
【請求項１３】
少なくとも２種の液相を含む組成物が以下からなる群、
−油と水とを含む組成物；
−燃料または可燃物と水とを含む組成物；および
−少なくとも２種の液相を含む反応混合物、
から選ばれる、請求項１０〜１２に記載の方法。
【請求項１４】
少なくとも1種のハイドロフォビンが全組成物に対し０．０００１〜１０００ｐｐｍの量で用いられる、請求項１０〜１３に記載の方法。
【請求項１５】
組成物が原油−水組成物であり、少なくとも1種のハイドロフォビンが全組成物に対し１〜８００ｐｐｍの量で用いられる、請求項１４に記載の方法。
【請求項１６】
組成物が燃料／可燃物−水組成物であり、少なくとも1種のハイドロフォビンが全組成物に対し０．００１〜１０ｐｐｍの量で用いられる、請求項１４に記載の方法。
【請求項１７】
前記方法が、少なくとも1種のハイドロフォビンを添加する前または後に少なくとも２種の液相を含む組成物の温度を上昇させることを含む、請求項１０〜１６に記載の方法。
【請求項１８】
燃料、可燃物、原油または水溶性または油溶性ポリマー溶液からなる少なくとも１種の化合物と少なくとも１種のハイドロフォビンを含む配合物であって、ハイドロフォビンが全配合物に対し配合物中に０．０００１〜１０００ｐｐｍの量で存在する、配合物。
【請求項１９】
配合物が少なくとも１種の燃料または可燃物を含み、ハイドロフォビンまたはその誘導体が配合物中に全配合物に対し０．００１〜０．５ｐｐｍの量で存在する、請求項１８に記載の配合物。
【請求項２０】
燃料または可燃物がガソリン、ディーゼル燃料およびタービン燃料の群から選ばれる、請求項１９に記載の配合物。
【請求項２１】
少なくとも１種の蛋白質がハイドロフォビン融合蛋白質またはその誘導体である、請求項１８〜２０の一項に記載の配合物。
【請求項２２】
ハイドロフォビン融合体が配列番号２０、配列番号２２および配列番号２４の群から選ばれる少なくとも一種である、請求項２１に記載の配合物。